【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
第１のデバイスでパケット交換ネットワークを介してビデオストリームを受信する処理であって、前記受信したビデオストリームは当該ビデオストリームのビデオフォーマットである可能性の高いビデオフォーマットに関する情報を含み、前記可能性の高いビデオフォーマットは前記ビデオストリームの制御信号を解析することによって決定される処理と、
前記第１のデバイスで前記受信したビデオストリームに関連付けられたクロック信号のクロックリカバリを実行する処理であって、前記クロックリカバリでは、前記可能性の高いビデオフォーマットに関する前記受信した情報から少なくとも周波数情報を抽出する処理を実行する処理と、
が実行される方法。
【請求項２】
前記可能性の高いビデオフォーマットは第２のデバイスで決定されて前記第１のデバイスに送信され、
前記第１のデバイスは、シンクデバイスであり、
前記第２のデバイスは、ソースデバイスである、
ことを特徴とする請求項１に記載の方法。
【請求項３】
前記第１のデバイスで受信した前記ビデオストリームは、前記第１のデバイスに送信される前に前記第２のデバイスによってパケット化されており、
前記第１のデバイスで、クロックリカバリを実行する前に前記受信したビデオストリームをデパケット化する処理が更に実行される、請求項２に記載の方法。
【請求項４】
前記クロックリカバリを実行する処理は、前記受信したビデオストリームの連続するパケットに組み込まれたタイムスタンプ間の時間差を計算することによって算出される、前記第２のデバイスによって送信された前記ビデオストリームのクロック周波数と、リカバリする前記クロック信号の周波数とを比較することによって、前記クロック信号の周波数を調整することを含む、請求項２に記載の方法。
【請求項５】
前記クロックリカバリを実行する処理は、
ＦＩＦＯ（First-In-First-Out）バッファで前記第２のデバイスからのパケットを受信することと、
所定レベルよりも大きい前記ＦＩＦＯバッファの深度レベルに応じて、リカバリする前記クロック信号の周波数を増加させることと、
所定レベルよりも小さい前記ＦＩＦＯバッファの深度レベルに応じて、リカバリする前記クロック信号の周波数を減少させることと、
を含む、請求項２に記載の方法。
【請求項６】
前記クロックリカバリを実行する処理は、
前記ビデオストリームのパケットに組み込まれたタイムスタンプを調べることによって、前記ビデオストリームのパケットの中から異常値パケットを決定して除去すること、
前記クロック信号の狭帯域幅クロックリカバリを実行すること、
及び可聴範囲の外側に位相雑音をシフトすること、
のうちの少なくとも１つを更に含む、請求項５に記載の方法。
【請求項７】
前記ビデオストリームのコンテンツは、高精細度マルチメディアインタフェース（ＨＤＭＩ（登録商標））ベースコンテンツ、デジタルビデオインタフェース（ＤＶＩ）ベースコンテンツ、又は移動高精細度リンク（ＭＨＬ）ベースコンテンツの少なくとも１つを含む、請求項１に記載の方法。
【請求項８】
パケット交換ネットワークを介してビデオストリームを受信するように構成された受信機であって、前記受信したビデオストリームは当該ビデオストリームのビデオフォーマットである可能性の高いビデオフォーマットに関する情報を含み、前記可能性の高いビデオフォーマットは前記ビデオストリームの制御信号を解析することによって決定される、前記受信機と、
受信した前記ビデオストリームに関連するクロック信号のクロックリカバリを実行するように構成されたクロック再生モジュールであって、前記クロックリカバリでは、前記可能性の高いビデオフォーマットに関する前記受信した情報から少なくとも周波数情報を抽出する処理を実行する、前記クロック再生モジュールと、
を有する第１のデバイスを備える装置。
【請求項９】
前記第１のデバイスは、前記ビデオストリームを第２のデバイスから受信するように構成されており、
前記第２のデバイスは、前記ビデオストリームに用いられている可能性の高いビデオフォーマットを決定し、
前記第１のデバイスは、シンクデバイスであり、
前記第２のデバイスは、ソースデバイスである、
請求項８に記載の装置。
【請求項１０】
前記第１のデバイスで受信した前記ビデオストリームは、前記第１のデバイスに送信される前に前記第２のデバイスによってパケット化されており、
前記第１のデバイスは、クロックリカバリを実行する前に受信した前記ビデオストリームをデパケット化するように更に構成されている、
請求項９に記載の装置。
【請求項１１】
前記クロック再生モジュールは、
受信した前記ビデオストリームの連続するパケットに組み込まれたタイムスタンプ間の時間差を計算することによって算出される、前記第２のデバイスによって送信された前記ビデオストリームのクロック周波数と、リカバリする前記クロック信号の周波数とを比較することによって、前記クロック信号の周波数を調整すること
によってクロックリカバリを実行する、請求項９に記載の装置。
【請求項１２】
クロックリカバリを実行する前記クロック再生モジュールは、
ＦＩＦＯ（First-In-First-Out）バッファで前記第２のデバイスからのパケットを受信することと、
所定レベルよりも大きい前記ＦＩＦＯバッファの深度レベルに応じて、リカバリする前記クロック信号の周波数を増加させることと、
所定レベルよりも小さい前記ＦＩＦＯバッファの深度レベルに応じて、リカバリする前記クロック信号の周波数を減少させることと、
によってクロックリカバリを実行する、請求項９に記載の装置。
【請求項１３】
前記クロック再生モジュールは、
前記ビデオストリームのパケットに組み込まれたタイムスタンプを調べることによって、前記ビデオストリームのパケットの中から異常値パケットを決定して除去すること、
前記クロック信号の狭帯域幅クロックリカバリを実行すること、
及び可聴範囲の外側に位相雑音をシフトすること、
のうちの少なくとも１つによってクロックリカバリを実行する、請求項１２に記載の装置。
【請求項１４】
前記ビデオストリームのコンテンツは、高精細度マルチメディアインタフェース（ＨＤＭＩ（登録商標））ベースコンテンツ、デジタルビデオインタフェース（ＤＶＩ）ベースコンテンツ、又は移動高精細度リンク（ＭＨＬ）ベースコンテンツの少なくとも１つを含む、請求項８に記載の装置。
【請求項１５】
所定の命令を記録した機械読み取り可能な記録媒体であって、前記所定の命令は、機械に、
第１のデバイスでパケット交換ネットワークを介してビデオストリームを受信する手順であって、前記受信したビデオストリームは当該ビデオストリームのビデオフォーマットである可能性の高いビデオフォーマットに関する情報を含み、前記可能性の高いビデオフォーマットは前記ビデオストリームの制御信号を解析することにより決定される、前記手順と、
前記第１のデバイスで前記受信したビデオストリームに関連付けられたクロック信号のクロックリカバリを実行する手順であって、前記クロックリカバリでは、前記可能性の高いビデオフォーマットに関する前記受信した情報から少なくとも周波数情報を抽出する処理を実行する、前記手順と、
を実行させる記録媒体。
【請求項１６】
前記可能性の高いビデオフォーマットは、ソースデバイスである第２のデバイスで決定され、シンクデバイスである前記第１のデバイスに送信されることを含む、
ことを特徴とする請求項１５に記載の記録媒体。
【請求項１７】
前記所定の命令は、前記機械に、
前記第１のデバイスで、当該第１のデバイスに送信する前に前記第２のデバイスでパケット化された前記ビデオストリームを、クロックリカバリを実行する前にデパケット化する処理を更に実行させる、請求項１６に記載の記録媒体。
【請求項１８】
前記クロックリカバリを実行する手順は、
前記受信したビデオストリームの連続するパケットに組み込まれたタイムスタンプ間の時間差を計算することによって算出される、前記第２のデバイスによって送信された前記ビデオストリームのクロック周波数と、リカバリする前記クロック信号の周波数とを比較することによって、リカバリする前記クロック信号の周波数を調整することを含む、請求項１６に記載の記録媒体。
【請求項１９】
前記クロックリカバリを実行する手順は、
ＦＩＦＯ（First-In-First-Out）バッファで前記第２のデバイスからのパケットを受信することと、
所定レベルよりも大きい前記ＦＩＦＯバッファの深度レベルに応じて、リカバリする前記クロック信号の周波数を増加させることと、
所定レベルよりも小さい前記ＦＩＦＯバッファの深度レベルに応じて、リカバリする前記クロック信号の周波数を減少させることと、
を含む、請求項１６に記載の記録媒体。
【請求項２０】
前記所定の命令は、前記機械に、
前記ビデオストリームのパケットに組み込まれたタイムスタンプを調べることによって、前記ビデオストリームのパケットの中から異常値パケットを決定して除去すること、
前記クロック信号の狭帯域幅クロックリカバリを実行すること、
及び可聴範囲の外側に位相雑音をシフトすること、
のうちの少なくとも１つを含むクロックリカバリを実行させる、請求項１９に記載の記録媒体。
【請求項２１】
前記ビデオストリームのコンテンツは、高精細度マルチメディアインタフェース（ＨＤＭＩ（登録商標））ベースコンテンツ、デジタルビデオインタフェース（ＤＶＩ）ベースコンテンツ、又は移動高精細度リンク（ＭＨＬ）ベースコンテンツの少なくとも１つを含む、
請求項１５に記載の記録媒体。
【請求項２２】
前記ビデオストリームの制御信号は、ＨＳＹＮＣ（horizontal synchronization）信号、ＶＳＹＮＣ（vertical synchronization）信号、およびＤＥ（data enable）信号を含む、
請求項１に記載の方法。
【請求項２３】
前記ビデオストリームの制御信号は、ＨＳＹＮＣ（horizontal synchronization）信号、ＶＳＹＮＣ（vertical synchronization）信号、およびＤＥ（data enable）信号を含む、
請求項８に記載の装置。
【請求項２４】
前記ビデオストリームの制御信号は、ＨＳＹＮＣ（horizontal synchronization）信号、ＶＳＹＮＣ（vertical synchronization）信号、およびＤＥ（data enable）信号を含む、
請求項１５に記載の記録媒体。